(57)【要約】【課題】泥状物を簡便に効率よく脱水処理できる泥状物処理具および泥状物の処理方法を提供する。【解決手段】泥状物Ｓの水分Ｗを通過させる透水性を有する筒状の収容体２の上部開口２ａの周縁部２ｂに環状の吊具３を取付け、吊具３を支持体１３により支持し、保持手段７により収容体２の下部開口２ｃを閉じた状態で収容体２の下端部２ｄを上面視で収容体２の内側で吊上げ保持することで上面視環状の収容空間Ａを形成する。そして、その収容空間Ａに泥状物Ｓを収容することで泥状物Ｓを脱水する。泥状物Ｓの脱水を終えた後に、吊具３および保持手段７を介して収容体２を支持体１３による支持を外して吊り上げた状態で、保持手段７による収容体２の下端部２ｄの吊上げ保持を解除することで、脱水後の泥状物Ｓをその自重によって収容体２の下部開口２ｃを通じて下方に排出する。【選択図】図４
2020163251.tif 000002
【特許請求の範囲】
【請求項１】
泥状物の水分を通過させる透水性を有する筒状の収容体と、この収容体の上部開口の周縁部に取付けられる環状の吊具と、前記吊具を支持する支持体と、前記吊具が前記支持体により支持されていて、前記収容体の下部開口を閉じた状態で前記収容体の下端部を上面視で前記収容体の内側で吊上げ保持することで上面視環状の収容空間を形成する保持手段とを備え、
前記収容空間に収容された前記泥状物の脱水を終えた後に、前記吊具および前記保持手段を介して前記収容体が前記支持体による支持を外して吊り上げられた状態で、前記保持手段による前記下端部の吊上げ保持が解除されることで、脱水後の前記泥状物がその自重によって前記下部開口を通じて下方に排出される構成にしたことを特徴とする泥状物処理具。
【請求項２】
泥状物の水分を通過させる透水性を有する筒状の収容体と、この収容体の上部開口の周縁部に取付けられる環状の吊具と、前記吊具を支持する支持体と、前記吊具が前記支持体により支持されていて、前記収容体の下部開口を閉じた状態で前記収容体の下端部を上面視で前記収容体の内側で吊上げ保持することで上面視環状の収容空間を形成する保持手段とを備え、
前記収容空間に収容された前記泥状物の脱水を終えた後に、前記吊具および前記保持手段を介して前記収容体が前記支持体による支持を外して吊り上げられた状態で、前記保持手段および前記吊具の少なくとも一方が相対的に上下移動されて前記収容体の筒状内側が筒状外側に反転されることで、脱水後の前記泥状物がその自重によって下方に排出される構成にしたことを特徴とする泥状物処理具。
【請求項３】
前記保持手段が、前記下部開口を閉じた状態で保持する閉口具と、この閉口具による保持を解除する解除具とを有する請求項１または２に記載の泥状物処理具。
【請求項４】
前記保持手段が、前記下端部を結束する弾性部材を有し、前記保持手段による前記下端部の吊上げ保持が解除されると、脱水後の前記泥状物の自重によって前記弾性部材による結束が解除される構成にした請求項１に記載の泥状物処理具。
【請求項５】
前記収容空間を形成している前記収容体の中央部の窪みが載置される通水性を有するスペーサを有する請求項１〜４のいずれかに記載の泥状物処理具。
【請求項６】
前記支持体または前記吊具が前記保持手段を支持する保持手段支持部を有する請求項１〜５のいずれかに記載の泥状物処理具。
【請求項７】
泥状物の水分を通過させる透水性を有する筒状の収容体の上部開口の周縁部に環状の吊具を取付け、前記吊具を支持体により支持し、保持手段により前記収容体の下部開口を閉じた状態で前記収容体の下端部を上面視で前記収容体の内側で吊上げ保持することで上面視環状の収容空間を形成し、その収容空間に前記泥状物を収容することで前記泥状物を脱水し、前記泥状物の脱水を終えた後に、前記吊具および前記保持手段を介して前記収容体を前記支持体による支持を外して吊り上げた状態で、前記保持手段による前記下端部の吊上げ保持を解除することで、脱水後の前記泥状物をその自重によって前記下部開口を通じて下方に排出することを特徴とする泥状物の処理方法。
【請求項８】
泥状物の水分を通過させる透水性を有する筒状の収容体の上部開口の周縁部に環状の吊具を取付け、前記吊具を支持体により支持し、保持手段により前記収容体の下部開口を閉じた状態で前記収容体の下端部を上面視で前記収容体の内側で吊上げ保持することで上面視環状の収容空間を形成し、その収容空間に前記泥状物を収容することで前記泥状物を脱水し、前記泥状物の脱水を終えた後に、前記吊具および前記保持手段を介して前記収容体を前記支持体による支持を外して吊り上げた状態で、前記保持手段または前記吊具の少なくとも一方を相対的に上下移動させて前記収容体の筒状内側を筒状外側に反転させることで、脱水後の前記泥状物をその自重によって下方に排出することを特徴とする泥状物の処理方法。
【請求項９】
前記収容体の下端部を吊上げ保持している前記保持手段を、前記支持体または前記吊具に設けられた保持手段支持部によって支持した状態で前記泥状物の脱水を行う請求項７または８に記載の泥状物の処理方法。
【請求項１０】
前記収容体、前記吊具、前記支持体、前記保持手段および前記保持手段支持部を有するユニットを複数用意しておき、少なくとも１つの前記ユニットを使用して前記泥状物の脱水をしている間に、この脱水に使用している前記ユニットとは別の前記ユニットを使用して別の前記泥状物に対して前記脱水の前作業または後作業を行う請求項７〜９のいずれかに記載の泥状物の処理方法。
【発明の詳細な説明】
【技術分野】
【０００１】
本発明は、泥状物処理具および泥状物の処理方法に関し、さらに詳しくは、泥状物を簡便に効率よく脱水処理できる泥状物処理具および泥状物の処理方法に関するものである。
【背景技術】
【０００２】
工事現場で発生する浚渫土などの水分を含んだ泥状物を脱水処理する方法は種々提案されている（例えば、特許文献１参照）。特許文献１に記載の発明では、透水性を有する筒状の収容体の底部開口を閉じ部材によって閉じて、その収容体を有底筒状の外枠体に内挿するように取り付けて保持された状態にする。そして、収容体に泥状物を投入して収容し、泥状物の自重で泥状物を脱水している。
【０００３】
特許文献１に記載の発明では、泥状物の脱水を行なうときに、底部開口を閉じた収容体によって形成された柱状の収容空間に泥状物を収容する。収容空間の中心側に収容されている泥状物に含まれている水分は収容体の外側の面までの排水距離が長いため、収容体の外側に流出するまでに比較的長い時間がかかる。それ故、泥状物の脱水処理作業は簡便ではあるが、脱水効率を向上させるには改善の余地がある。
【先行技術文献】
【特許文献】
【０００４】
【特許文献１】特開２０１３−１３８９９７号公報
【発明の概要】
【発明が解決しようとする課題】
【０００５】
本発明の目的は、泥状物を簡便に効率よく脱水処理できる泥状物処理具および泥状物の処理方法を提供することにある。
【課題を解決するための手段】
【０００６】
上記目的を達成するため本発明の泥状物処理具は、泥状物の水分を通過させる透水性を有する筒状の収容体と、この収容体の上部開口の周縁部に取付けられる環状の吊具と、前記吊具を支持する支持体と、前記吊具が前記支持体により支持されていて、前記収容体の下部開口を閉じた状態で前記収容体の下端部を上面視で前記収容体の内側で吊上げ保持することで上面視環状の収容空間を形成する保持手段とを備え、前記収容空間に収容された前記泥状物の脱水を終えた後に、前記吊具および前記保持手段を介して前記収容体が前記支持体による支持を外して吊り上げられた状態で、前記保持手段による前記下端部の吊上げ保持が解除されることで、脱水後の前記泥状物がその自重によって前記下部開口を通じて下方に排出される構成にしたことを特徴とする。
【０００７】
上記目的を達成するため本発明の別の泥状物処理具は、泥状物の水分を通過させる透水性を有する筒状の収容体と、この収容体の上部開口の周縁部に取付けられる環状の吊具と、前記吊具を支持する支持体と、前記吊具が前記支持体により支持されていて、前記収容体の下部開口を閉じた状態で前記収容体の下端部を上面視で前記収容体の内側で吊上げ保持することで上面視環状の収容空間を形成する保持手段とを備え、前記収容空間に収容された前記泥状物の脱水を終えた後に、前記吊具および前記保持手段を介して前記収容体が前記支持体による支持を外して吊り上げられた状態で、前記保持手段および前記吊具の少なくとも一方が相対的に上下移動されて前記収容体の筒状内側が筒状外側に反転されることで、脱水後の前記泥状物がその自重によって下方に排出される構成にしたことを特徴とする。
【０００８】
上記目的を達成するため本発明の泥状物の処理方法は、泥状物の水分を通過させる透水性を有する筒状の収容体の上部開口の周縁部に環状の吊具を取付け、前記吊具を支持体により支持し、保持手段により前記収容体の下部開口を閉じた状態で前記収容体の下端部を上面視で前記収容体の内側で吊上げ保持することで上面視環状の収容空間を形成し、その収容空間に前記泥状物を収容することで前記泥状物を脱水し、前記泥状物の脱水を終えた後に、前記吊具および前記保持手段を介して前記収容体を前記支持体による支持を外して吊り上げた状態で、前記保持手段による前記下端部の吊上げ保持を解除することで、脱水後の前記泥状物をその自重によって前記下部開口を通じて下方に排出することを特徴とする。
【０００９】
上記目的を達成するため本発明の別の泥状物の処理方法は、泥状物の水分を通過させる透水性を有する筒状の収容体の上部開口の周縁部に環状の吊具を取付け、前記吊具を支持体により支持し、保持手段により前記収容体の下部開口を閉じた状態で前記収容体の下端部を上面視で前記収容体の内側で吊上げ保持することで上面視環状の収容空間を形成し、その収容空間に前記泥状物を収容することで前記泥状物を脱水し、前記泥状物の脱水を終えた後に、前記吊具および前記保持手段を介して前記収容体を前記支持体による支持を外して吊り上げた状態で、前記保持手段または前記吊具の少なくとも一方を相対的に上下移動させて前記収容体の筒状内側を筒状外側に反転させることで、脱水後の前記泥状物をその自重によって下方に排出することを特徴とする。
【発明の効果】
【００１０】
本発明によれば、収容体の上部開口の周縁部に取付けた環状の吊具を支持体により支持し、保持手段により下部開口を閉じた収容体の下端部を上面視で収容体の内側で吊上げ保持することで上面視環状の収容空間を形成する。そして、その収容空間に泥状物を投入して収容するだけで、泥状物に含まれる水分が収容体を通じて外部に流出し、泥状物の脱水が自然に行われる。上面視環状の収容空間に泥状物を収容することで、収容空間の中心側に収容されている泥状物に含まれている水分を排水距離の短い収容体の内側の面から外部に流出させることができる。それ故、泥状物をより効率的に脱水でき、脱水時間を短縮するには有利になる。
【００１１】
前者の泥状物処理具および泥状物の処理方法によれば、泥状物の脱水を終えた後は、吊具および保持手段を介して収容体を吊り上げた状態にして、保持手段による収容体の下端部の吊上げ保持を解除するだけで脱水後の泥状物がその自重によって収容体の下部開口を通じて下方に排出される。後者の泥状物処理具および泥状物の処理方法によれば、泥状物の脱水を終えた後は、吊具および保持手段を介して収容体を吊り上げた状態にして、保持手段または吊具の少なくとも一方を相対的に上下移動させて収容体の筒状内側を筒状外側に反転させるだけで脱水後の泥状物がその自重によって下方に排出される。それ故、脱水後の泥状物の排出も容易であり、泥状物を簡便に効率よく脱水処理できる。
【図面の簡単な説明】
【００１２】
【図１】本発明の泥状物処理具の構成部材を斜視で例示する説明図である。
【図２】図１の収容体に吊具および保持手段を取付けた状態を斜視で例示する説明図である。
【図３】図１の泥状物処理具を用いて泥状物を脱水している状況を斜視で例示する説明図である。
【図４】図１の泥状物処理具を用いて泥状物を脱水している状況を断面視で例示する説明図である。
【図５】図１の泥状物処理具を運搬車両の上方に吊り上げて移動させた状況を斜視で例示する説明図である。
【図６】図１の泥状物処理具から脱水した泥状物を排出している状況を斜視で例示する説明図である。
【図７】本発明の泥状物処理具の別の実施形態において、泥状物処理具を用いて泥状物を脱水している状況を縦断面視で例示する説明図である。
【図８】図７の泥状物処理具から脱水した泥状物を排出している状況を縦断面視で例示する説明図である。
【図９】本発明の泥状物処理具のさらに別の実施形態における保持手段を正面視で例示する説明図であり、図９（ａ）は保持手段により収容体の下端部を吊上げ保持する前の状態を示し、図９（ｂ）は保持手段により収容体の下端部を吊上げ保持した状態を示している。
【図１０】図９の泥状物処理具を斜視で例示する説明図であり、図１０（ａ）は脱水した泥状物を収容した泥状物処理具を上方に吊り上げている状況を示し、図１０（ｂ）は泥状物処理具から脱水した泥状物を排出している状況を示している。
【発明を実施するための形態】
【００１３】
以下、本発明の泥状物処理具および泥状物の処理方法を図に示した実施形態に基づいて説明する。
【００１４】
図１に例示するように、本発明の泥状物処理具１は、筒状の収容体２と、環状の吊具３と、保持手段７と、支持体１３とを備えている。この実施形態の泥状物処理具１はさらに、スペーサ１９を有している。
【００１５】
収容体２は、収容される泥状物Ｓの水分Ｗを通過させる透水性を有している。収容体２は、例えば、布材（織布または不織布）などの柔軟な非剛性材料で形成され、収容する泥状物Ｓに含まれる固体分はほとんど通過できない仕様になっている。収容体２は例えば、ポリ塩化ビニリデン系繊維などで形成される。この実施形態では、円筒状の収容体２を用いているが、例えば、角筒状の収容体２を用いることもできる。
【００１６】
図２に例示するように、吊具３は収容体２の上部開口２ａの周縁部２ｂに取付けられる。上部開口２ａの周縁部２ｂが吊具３に固定されることで、収容体２の上部開口２ａが環状に維持された状態となる。吊具３の上部には、吊部材６の一端部を連結可能な連結部４が、吊具３の周方向に互いに等しい間隔をあけて４つ設けられている。吊具３の外周面には、吊具３の周方向に互いに等しい間隔をあけて水平方向外側に張り出した４つの突出部５が設けられている。この実施形態では、円環状の吊具３を例示しているが、四角環状などの多角環状の吊具３にすることもできる。また、吊具３に設ける連結部４および突出部５の数や配置等は、この実施形態に限定されず適宜決定できる。吊具３は例えば、金属や硬質樹脂などの剛性材料で形成される。吊部材６は例えば、ワイヤロープや樹脂製のロープなどで構成される。
【００１７】
保持手段７は、収容体２の下部開口２ｃを閉じた状態で収容体２の下端部２ｄを上面視で収容体２の内側で吊上げ保持することで上面視環状の収容空間Ａを形成する。ここでいう下部開口２ｃを閉じた状態とは、下部開口２ｃを完全に密閉した場合に限らず、保持手段７により収容体２の下端部２ｄを吊上げ保持できる程度に下部開口２ｃの周縁部を寄せ集めた状態も含む。
【００１８】
この実施形態の保持手段７は、収容体２の下部開口２ｃを閉じた状態で収容体２の下端部２ｄを保持する閉口具８と、この閉口具８による保持を解除する解除具９とを有している。この実施形態の解除具９は長尺のワイヤロープで構成されていて、閉口具８に挿設されている解除具９を閉口具８から引き抜くと、閉口具８による保持が解除される構造になっている。解除具９はワイヤロープに限らず他に例えば、棒状材やスイッチなどで構成することもできる。閉口具８の上部には吊部材１１の一端部を連結可能な連結部１０が設けられている。吊部材１１は例えば、ワイヤロープや樹脂製のロープなどで構成される。吊部材１１の他端部には後述する棒状部材１７が挿通可能な環状部材１２が設けられている。
【００１９】
支持体１３は、泥状物Ｓの脱水を行うときに吊具３を支持する。この実施形態の支持体１３は、四方に配置された上下方向に延在する４本の支柱１４と隣り合う支柱１４どうしを連結する水平方向に延在する４本の梁１５とを有している。４本の梁１５は同じ高さ位置に配置されている。
【００２０】
支持体１３はさらに、保持手段７を支持する保持手段支持部１６を有している。保持手段支持部１６は、棒状部材１７と、棒状部材１７が挿通可能な環状部材１８とで構成されている。４本の支柱１４のうち、対角線上に位置する２本の支柱１４は梁１５よりも上方に延在していて、その２本の支柱１４の上部にそれぞれ環状部材１８が設けられている。支持体１３は例えば、金属や硬質樹脂などの剛性材料で形成される。
【００２１】
スペーサ１９は、泥状物Ｓの脱水を行うときに、収容空間Ａを形成している収容体２の中央部の窪みが載置される。スペーサ１９は、水分Ｗを通過させる通水性を有している。スペーサ１９は例えば、金属や硬質樹脂などの剛性材料で形成される。この実施形態のスペーサ１９は、金属の線材で形成された円錐状のフレーム体で構成されていて、線材どうしの間に設けられたすき間から水分Ｗが通過できる構造になっている。
【００２２】
スペーサ１９は、通水性を有する構造であればこの実施形態に限定されず、異なる構成にすることもできる。例えば、スペーサ１９は、網状材や多数の貫通孔を有する板状材などで形成することもできる。また、例えば、スペーサ１９の表面に溝などを設けてスペーサ１９の表面に沿って水分が流れ落ち易くする構造にすることもできる。スペーサ１９の形状は円錐状の他にも例えば、角錐状や、円錐台状、角錐台状、円柱状、角柱状などにすることもできる。
【００２３】
次に、この泥状物処理具１を用いた泥状物Ｓの処理方法を説明する。
【００２４】
図２に例示するように、収容体２の上部開口２ａの周縁部２ｂに吊具３を取付けて、吊具３に上部開口２ａの周縁部２ｂを固定する。次いで、保持手段７により、収容体２の下部開口２ｃを閉じた状態で収容体２の下端部２ｄを上面視で収容体２の内側で吊上げ保持することで上面視環状の収容空間Ａを形成する。この実施形態では、収容体２の内側に寄せ集めた収容体２の下端部２ｄを閉口具８で挟んで保持した状態にする。解除具９は閉口具８に挿設した状態にしておく。
【００２５】
連結部１０には吊部材１１の一端部を連結しておく。支持体１３およびスペーサ１９は地面に載置し、スペーサ１９は上面視で４本の梁１５で囲われた支持体１３の開口の中央に配置しておく。
【００２６】
次いで、図３に例示するように、支持体１３およびスペーサ１９の上方から一体化させた収容体２、吊具３、および保持手段７を下方移動させて、支持体１３の開口に収容体２を内挿し、吊具３のそれぞれの突出部５を梁１５の上に載置する。これにより、支持体１３によって吊具３が支持され、スペーサ１９に収容空間Ａを形成している収容体２の中央部の窪みが載置された状態になる。
【００２７】
次いで、保持手段支持部１６によって保持手段７を支持した状態にする。この実施形態では、吊部材１１の環状部材１２を２本の支柱１４に設けられている環状部材１８と同じ高さ位置まで持ち上げる。そして、棒状部材１７を環状部材１２と２つの環状部材１８とに挿通させて２本の支柱１４の間に架け渡すことで、吊部材１１を介して閉口具８を収容体２の上部で吊った状態にする。以上の作業により、泥状物Ｓを投入する以前の泥状物処理具１のセッティングが完了し、収容体２の上部開口２ａの内側に上面視環状の収容空間Ａが形成された状態となる。
【００２８】
泥状物処理具１をセッティングする作業順は上述した順番に限らず、作業順を適宜入れ替えてもよい。例えば、先に支持体１３に吊具３と保持手段７を設置しておき、その後に、収容体２を吊具３および保持手段７に取付けてもよい。
【００２９】
泥状物処理具１のセッティングが完了すると、工事現場で発生する浚渫土などの水分Ｗを含んだ泥状物Ｓを、ホースなどを通じて収容体２の上部開口２ａから収容空間Ａに投入して収容する。図４に例示するように、収容体２に泥状物Ｓを収容すると、泥状物Ｓに含まれている水分Ｗが、泥状物Ｓの自重により収容体２の外側の面や内側の面を通じて外部に流出することで、泥状物Ｓの脱水が自然に行われる。
【００３０】
このまま、所定時間放置して泥状物Ｓの脱水を終えた後は、棒状部材１７をそれぞれの環状部材１２、１８から抜き取り、吊部材１１の環状部材１２を吊上げ手段３０（例えば、クレーンなどの重機の吊ワイヤの吊金具）に連結して、保持手段７（閉口具８）をその場で吊った状態にする。また、吊具３の４ヶ所の連結部４にそれぞれ吊部材６の一端部を連結し、４本の吊部材６の他端部を吊上げ手段３０に連結する。次いで、重機により吊具３および保持手段７を介して収容体２を吊り上げて支持体１３による支持を外す。そして、図５に例示するように、吊具３および保持手段７を介して収容体２を吊り上げた状態で、収容体２に収容された脱水後の泥状物Ｓを運搬車両４０の上や、脱水後の泥状物Ｓを収容する大型袋の上などの所望の場所に移動させる。
【００３１】
次いで、図６に例示するように、吊具３および保持手段７を介して収容体２を支持体１３による支持を外して吊り上げた状態で、保持手段７による収容体２の下端部２ｄの保持を解除する。この実施形態では、作業員が閉口具８から解除具９を引き抜くことで、閉口具８による収容体２の下端部２ｄの保持が解除される。保持手段７による保持を解除すると、収容体２に収容されている脱水後の泥状物Ｓの自重によって収容体２が自然に筒状に戻る。そして、脱水後の泥状物Ｓがその自重によって、収容体２の下部開口２ｃを通じて下方に排出される。運搬車両４０の上に排出された泥状物Ｓは、運搬車両４０によって運搬される。
【００３２】
このように、本発明によれば、吊具３、保持手段７、および支持体１３によって形成した収容体２の上面視環状の収容空間Ａに泥状物Ｓを投入して収容するだけで、泥状物Ｓの脱水が自然に行われる。図４に例示するように、上面視環状の収容空間Ａに泥状物Ｓを収容することで、収容空間Ａの中心側に収容されている泥状物Ｓに含まれている水分Ｗを排水距離の近い収容体２の内側の面から外部に流出させることができる。それ故、泥状物Ｓをより効率的に脱水でき、脱水時間を短縮するには有利になる。
【００３３】
泥状物Ｓの脱水を終えた後には、吊具３および保持手段７を介して収容体２を吊り上げた状態にして、保持手段７による収容体２の下端部２ｄの保持を解除するだけで、収容体２に収容されていた脱水後の泥状物Ｓを下方に排出できる。それ故、脱水後の泥状物Ｓの排出も容易であり、泥状物Ｓを簡便に効率よく脱水処理できる。
【００３４】
保持手段７を支持する保持手段支持部１６を支持体１３とは別に設けることもできるが、支持体１３に保持手段支持部１６を設けると、非常にコンパクトで簡素な泥状物処理具１にすることができる。この実施形態のように、保持手段支持部１６を棒状部材１７と環状部材１８とで構成すると、保持手段支持部１６を簡素に構成でき、保持手段７を支持体１３に少ない工数で容易に支持した状態にできる。
【００３５】
収容体２、吊具３、支持体１３、保持手段７、および保持手段支持部１６を有するユニット（泥状物処理具１）を複数用意しておき、少なくとも１つのユニットを使用して泥状物Ｓの脱水をしている間に、この使用しているユニットとは別のユニットを使用して別の泥状物Ｓに対して脱水の前作業（セッティングなど）または後作業（吊上げ作業や排出作業など）を行うこともできる。このように、複数の泥状物処理具１を用いることで、多量の泥状物Ｓを効率的に脱水処理することができる。
【００３６】
１つの支持体１３に対して、収容体２、吊具３、および保持手段７を有するユニットを複数組用意しておき、泥状物Ｓの脱水を終えたユニットを吊り上げて支持体１３による支持を外した後に、その同じ支持体１３に別のユニットを設置して別の泥状物Ｓの脱水を行うこともできる。支持体１３に設置するユニットを順次入れ替えていくことで、脱水後の泥状物Ｓの排出作業と、泥状物Ｓの脱水作業とを並行して行うことができるので、泥状物Ｓを非常に効率よく脱水処理できる。
【００３７】
泥状物処理具１を構成する収容体２、吊具３、支持体１３、保持手段７はそれぞれ分離した状態で搬送できるので、複数の泥状物処理具１を用いる場合にも、コンパクトな状態で工事現場まで搬送できる。泥状物処理具１は簡素な構造であるので、工事現場におけるセッティングも容易に短時間で行える。それ故、非常に利便性が高い。
【００３８】
この実施形態のように、保持手段７を閉口具８および解除具９を有する構成にすると、保持手段７に収容体２の下端部２ｄを保持させる作業と、保持手段７の保持を解除する作業とをそれぞれ少ない工数で容易に行える。特に、解除具９を長尺のワイヤロープで構成すると、作業員が閉口具８から離れた位置でもワイヤロープを引っ張るだけで閉口具８の保持を解除できるので、排出作業の作業性を高めるには益々有利になる。
【００３９】
収容体２の中央部の窪みに通水性を有するスペーサ１９を嵌めた状態で収容空間Ａに泥状物Ｓを投入して収容すると、スペーサ１９によって収容体２の内側の面が支持されることで、収容体２の内側の対向する面どうしが当接することをより確実に防ぐことができる。それ故、収容空間Ａの中心側に位置する水分Ｗの脱水効率を高めるにはより有利になる。スペーサ１９の使用は任意である。
【００４０】
収容体２の底面を地面に接地させた状態で泥状物Ｓの脱水を行ってもよいが、図４に例示するように、収容体２の底面を地面から離間させた状態で泥状物Ｓの脱水を行うことが好ましい。収容体２を宙に浮かせた状態にすることで、収容体２の底面から水分Ｗがより排出されやすくなるので、脱水効率を高めるには有利になる。
【００４１】
吊具３に複数の突出部５を設けると、突出部５を支持体１３の梁１５の上に載置するだけで、支持体１３により吊具３を安定して支持できる。それ故、泥状物処理具１のセッティングに要する作業工数や労力を低減するには有利になる。また、泥状物Ｓの脱水を終えた後には、吊具３を吊り上げるだけで支持体１３による支持を外すことができるので、脱水後の泥状物Ｓの排出作業に要する作業工数や労力を低減するにも有利になる。
【００４２】
図７および図８に、本発明の泥状物処理具１の別の実施形態を例示する。
【００４３】
この泥状物処理具１は図１〜６に例示した実施形態の泥状物処理具１と、吊具３、保持手段７、および保持手段支持部１６の構成が異なっている。また、この泥状物処理具１は台座２３を有している。その他の構成は図１〜６に例示した実施形態と概ね同じである。
【００４４】
図７に例示するように、この泥状物処理具１では、吊具３が保持手段支持部１６として、吊具３の開口に架設された横架部２０を有している。横架部２０の中央部分には収容体２の下端部２ｄが挿通可能な挿通孔２０ａが形成されている。
【００４５】
この実施形態の保持手段７は、収容体２の下端部２ｄを結束する弾性部材２２と、収容体２の下端部２ｄを保持する保持装置２１とを有している。弾性部材２２は、ゴムなどの弾性を有する非剛性材料で形成された環状材や紐状材などで構成される。この実施形態では、弾性部材２２として環状ゴムを用いている。
【００４６】
保持装置２１は、横架部２０の上に設置されている。保持装置２１は、収容体２の下端部２ｄの保持と保持の解除を作業者が携帯するコントローラによって遠隔操作で切り替えられる構成になっている。この実施形態では、吊具３を支持体１３で支持し、収容体２の下端部２ｄを弾性部材２２で結束し、その結束した収容体２の下端部２ｄを横架部２０の挿通孔２０ａに下から上に挿通させる。そして、その収容体２の下端部２ｄを保持装置２１で保持することで、収容体２の下端部２ｄを上面視で収容体２の内側で吊上げ保持している。
【００４７】
台座２３は、水分Ｗを通過させる通水性を有している。台座２３は例えば、金属や硬質樹脂などの剛性材料で形成される。この実施形態の台座２３は、直方体形状のフレーム体と網状材で形成されている。台座２３は、通水性を有する構造であればこの実施形態に限定されず、異なる構成にすることもできる。
【００４８】
図７に例示するように、この実施形態では、吊具３を支持体１３で支持し、吊具３に設けられた保持手段支持部１６で保持手段７を支持した状態で泥状物Ｓの脱水を行う。収容体２の底面は台座２３の上に載置した状態にする。
【００４９】
図８に例示するように、泥状物Ｓの脱水を終えた後は、吊具３の４ヶ所の連結部４にそれぞれ吊部材６の一端部を連結し、４本の吊部材６の他端部を吊上げ手段３０に連結する。次いで、重機により吊具３および保持手段７を介して収容体２を吊り上げて支持体１３による支持を外す。
【００５０】
泥状物Ｓを排出する際には、作業者がコントローラにより保持装置２１を遠隔操作して保持装置２１による収容体２の下端部２ｄの保持を解除する。保持装置２１による保持が解除されると、脱水後の泥状物Ｓの自重によって弾性部材２２による結束が自然に解除され、収容体２が筒状に戻る。そして、脱水後の泥状物Ｓがその自重によって収容体２の下部開口２ｃを通じて下方に排出される。
【００５１】
この実施形態のように、吊具３に保持手段支持部１６を設けると、非常にコンパクトで簡素な泥状物処理具１にすることができる。保持手段７として、遠隔操作が可能な保持装置２１を用いると、作業員が保持手段７から離れた位置で保持手段７による保持を容易に解除できるので、泥状物Ｓの排出作業の作業性を向上させるには有利になる。
【００５２】
弾性部材２２を用いると、収容体２の下端部２ｄを容易に結束できる。弾性部材２２によって収容体２の下端部２ｄを結束しておくことで、収容体２の下端部２ｄを保持手段７（この実施形態では、保持装置２１）に保持させる作業をより行い易くなる。また、脱水後の泥状物Ｓを排出する際には、弾性部材２２を手作業で取外す必要がないので、非常に利便性が高い。
【００５３】
泥状物Ｓの脱水を行う際に、通水性を有する台座２３の上に収容体２を載置すると、収容体２を地面Ｇに接地させる場合よりも、収容体２の底面から水分Ｗがより流出しやすくなり、脱水効率を高めるには有利になる。また、脱水前の泥状物Ｓの荷重を台座２３で支持できるので、収容体２を宙に浮かせた状態で脱水する場合よりも、収容体２に求められる強度を低くできる。それ故、収容体２の膜厚や網目の粗さなどを、脱水性能を向上させるのにより有利な仕様にすることができ、脱水時間を短縮するにはより有利になる。
【００５４】
図９および図１０に、本発明の泥状物処理具１のさらに別の実施形態を例示する。この泥状物処理具１は図１〜６に例示した実施形態の泥状物処理具１と、保持手段７の構成が異なっている。その他の構成は図１〜６に例示した実施形態と概ね同じである。
【００５５】
図９に例示するように、この実施形態の保持手段７は、収容体２の下端部２ｄを引っ掛けて保持する懸吊部材２４と、懸吊部材２４の上部に連結された連結金具２５と、懸吊部材２４に外嵌めされる外嵌部材２６とで構成されている。懸吊部材２４は、金属製の線材を折り曲げて形成されている。懸吊部材２４の下部には、下部開口２ｃを閉じて束状にした収容体２の下端部２ｄを引っ掛けるフックが設けられている。懸吊部材２４の上部は連結金具２５を連結できる構造になっている。
【００５６】
連結金具２５は、例えば、シャックルなどで構成される。懸吊部材２４は、泥状物Ｓの脱水を行う際には、連結金具２５を介して吊部材１１に連結され、脱水後の泥状物Ｓの移送および排出を行う際には、連結金具２５を介して吊上げ手段３０に連結される。
【００５７】
外嵌部材２６は管状部材の上部を平たくつぶした形状になっている。外嵌部材２６は例えば、金属製の管状部材の上部をつぶし加工（プレス加工）することで形成することができる。この実施形態の外嵌部材２６は、丸鋼管の上部をつぶし加工して形成されており、外嵌部材２６の下部の横断面形状は円環状になっていて、外嵌部材２６の上部の横断面形状は平たい楕円状になっている。
【００５８】
この保持手段７では、図９の（ａ）に例示するように、懸吊部材２４の下部に設けられているフックを外嵌部材２６の下端部よりも下方に露出した状態で、そのフックに下部開口２ｃを閉じて束状にした収容体２の下端部２ｄを引っ掛ける。次いで、図９の（ｂ）に例示するように、外嵌部材２６を下方に移動させて、懸吊部材２４の下部のフックに引っ掛けた収容体２の下端部２ｄに外嵌部材２６の下部を外嵌した状態にすることで、懸吊部材２４および外嵌部材２６により収容体２の下端部２ｄが保持された状態になる。外嵌部材２６を上方に移動させて懸吊部材２４の下部に設けられているフックを露出した状態にすると、収容体２の下端部２ｄの保持を解除できる。
【００５９】
本発明では、図１０の（ａ）に例示するように、泥状物Ｓの脱水を終えた後に、吊具３および保持手段７を介して収容体２を支持体１３による支持を外して吊り上げた状態で、保持手段７または吊具３の少なくとも一方を相対的に上下移動させて収容体２の筒状内側を筒状外側に反転させることで、収容体２に収容されていた脱水後の泥状物Ｓを下方に排出することもできる。
【００６０】
図１０の（ｂ）に例示するように、この実施形態では、収容体２の下端部２ｄを保持手段７によって吊上げ保持した状態で、吊上げ手段３０による吊具３の吊上げ保持を解除することで吊具３を下方に落下させている。このように、保持手段７に対して吊具３を相対的に下方移動させて収容体２の筒状内側を筒状外側に反転させることで、脱水後の泥状物Ｓがその自重によって下方に排出される。例えば、吊上げ手段３０によって吊具３を吊上げ保持した状態で、保持手段７に対して吊具３を相対的に下方移動させて、収容体２の筒状内側を筒状外側に反転させることでも、同様に脱水後の泥状物Ｓをその自重によって下方に排出することができる。また、例えば、吊上げ手段３０によって吊上げ保持されている吊具３に対して、収容体２の下端部２ｄを吊上げ保持している保持手段７を相対的に上方移動させて、収容体２の筒状内側を筒状外側に反転されることでも、同様に脱水後の泥状物Ｓをその自重によって下方に排出することができる。
【００６１】
このように、保持手段７または吊具３の少なくとも一方を相対的に上下移動させて収容体２の筒状内側を筒状外側に反転させることで、収容体２に収容されていた脱水後の泥状物Ｓの排出を容易に行うことができる。この場合には、収容体２の筒状内側が筒状外側に反転されることで、泥状物Ｓを排出した後の収容体２に付着している泥状物Ｓを除去する作業がより行い易くなる。また、同じユニットで再び別の泥状物Ｓの脱水を行う際には、保持手段７に収容体２の下端部２ｄを保持させる作業を再度行う必要がないので、泥状物Ｓを投入する以前までの泥状物処理具１のセッティングに要する作業工数を少なくできる。
【００６２】
なお、保持手段７は、収容体２の下部開口２ｃを閉じた状態で収容体２の下端部２ｄを上面視で収容体２の内側で吊上げ保持できる構成であれば、上述した実施形態に限定されず、異なる構成にすることもできる。例えば、保持手段７は、収容体２の下端部２ｄを縛って保持する紐状材などで構成することもできる。
【００６３】
支持体１３は、吊具３を支持できる構成であれば、上述した実施形態に限定されず、異なる構成にすることもできる。例えば、支持体１３を構成する支柱１４や梁１５の数や配置を変えることもできる。また、例えば、支持体１３を支柱１４だけで構成し、支柱１４に吊具３を固定具や紐状材などで固定して支持させる構成にすることもできる。支持体１３または吊具３が保持手段支持部１６を有する場合を例示したが、例えば、泥状物Ｓの脱水を行う際に、保持手段７を重機などで吊って支持する構成にすることもできる。また、例えば、泥状物Ｓの脱水を行う際に、吊具３を重機などで吊って支持する構成にすることもできる。
【符号の説明】
【００６４】
１  泥状物処理具
２  収容体
２ａ  上部開口
２ｂ  （上部開口の）周縁部
２ｃ  下部開口
２ｄ  下端部
３  吊具
４  連結部
５  突出部
６  吊部材
７  保持手段
８  閉口具
９  解除具
１０  連結部
１１  吊部材
１２  環状部材
１３  支持体
１４  支柱
１５  梁
１６  保持手段支持部
１７  棒状部材
１８  環状部材
１９  スペーサ
２０  横架部
２０ａ  挿通孔
２１  保持装置
２２  弾性部材
２３  台座
２４  懸吊部材
２５  連結金具
２６  外嵌部材
３０  吊上げ手段
４０  運搬車両
Ａ  収容空間
Ｓ  泥状物
Ｗ  水分
【図１】
2020163251.tif 000003
【図２】
2020163251.tif 000004
【図３】
2020163251.tif 000005
【図４】
2020163251.tif 000006
【図５】
2020163251.tif 000007
【図６】
2020163251.tif 000008
【図７】
2020163251.tif 000009
【図８】
2020163251.tif 000010
【図９】
2020163251.tif 000011
【図１０】
2020163251.tif 000012